(57)【要約】【課題】スイッチ機能を具えたオーディオジャックを提供する。【解決手段】  少なくともプラスチックハウジング、弾性端子、接触端子及び二つの信号端子を具え、プラスチックハウジング内に前述の弾性端子と接触端子をそれぞれ収容固定する収容溝と、オーディオプラグ挿入を受け入れる挿入空間を具え、またプラスチックハウジングから挿入空間内に向かって絶縁アームを延伸する。プラスチックハウジングの絶縁アームと弾性端子は隣接し、弾性端子と接触端子も隣接し、前述の二つの信号端子はプラスチックハウジングの挿入空間内に進入している。オーディオプラグがプラスチックハウジングの挿入空間内に挿入されると、オーディオプラグは絶縁アームを押し動かして弾性端子を接触端子に接触させ、弾性端子と接触端子が同じ信号を出力するようにする。【選択図】図４
0003103712.tif 000002
【実用新案登録請求の範囲】
【請求項１】
少なくともプラスチックハウジング、弾性端子、接触端子及び二つの信号端子を具え、
プラスチックハウジング内にオーディオプラグの挿入を受け入れる挿入空間を具え、且つ該プラスチックハウジングから挿入空間内に向かって絶縁アームを延伸し、
弾性端子はプラスチックハウジング内に固定し、弾接部でプラスチックハウジング内の絶縁アームに圧接して、該プラスチックハウジング内の絶縁アームをプラスチックハウジングの挿入空間内に保持し、
接触端子は前述のプラスチックハウジング内に固定し、オーディオプラグがオーディオジャックに挿入されると、前述の弾性端子と電気的に接続するようにし、
二つの信号端子はプラスチックハウジング内に固定してそれぞれプラスチックハウジングの挿入空間に向かって延伸し、且つ該二つの信号端子はオーディオプラグがプラスチックハウジングの挿入空間に挿入されるとそれぞれオーディオプラグと電気的接続を形成し、
前述の弾性端子、接触端子及び二つの信号端子はそれぞれプリント基板の回路と電気的に接続して成ることを特徴とするスイッチ機能を具えたオーディオジャック。
【請求項２】
該プラスチックハウジングの絶縁アームの末端に突起部を凸設し，これによりオーディオプラグ挿入後、絶縁アーム後方に位置する弾性端子弾接部が大きな弾性変位量を具えるようにして成ることを特徴とする請求項１記載のスイッチ機能を具えたオーディオジャック。
【請求項３】
該弾性端子は弾性ユニットと第一接続端子から成り、該弾性ユニットはプラスチックハウジングの絶縁アーム背部に圧接する弾接部を具え、且つ該第一接続端子は弾性ユニットをプリント基板の回路に電気的に接続するようにして成ることを特徴とする請求項１記載のスイッチ機能を具えたオーディオジャック。
【請求項４】
該接触端子は接触ユニットと第二接続端子から成り、オーディオプラグがプラスチックハウジングの挿入空間内に挿入されると、該接触ユニットと弾性端子の弾接部が電気的に接続し、且つ該第二接続端子は接触ユニットをプリント基板の回路に電気的に接続するようにして成ることを特徴とする請求項１記載のスイッチ機能を具えたオーディオジャック。
【請求項５】
第一信号端子はブリッジ端子を通じてプリント基板の回路と電気的に接続するようにして成ることを特徴とする請求項１記載のスイッチ機能を具えたオーディオジャック。
【請求項６】
第二信号端子はブリッジ端子を通じてプリント基板の回路と電気的に接続するようにして成ることを特徴とする請求項１記載のスイッチ機能を具えたオーディオジャック。
【請求項７】
少なくともプラスチックハウジング、弾性端子、接触端子及び二つの信号端子を具え、
プラスチックハウジング内にオーディオプラグの挿入を受け入れる挿入空間を具え、
弾性端子はプラスチックハウジング内に固定し、該弾性端子は弾接部を具え、且つ弾性端子の弾接部末端にプラスチックハウジングの挿入空間に向かって絶縁部材を固設し、弾性端子の絶縁部材をプラスチックハウジングの挿入空間内に保持し、
接触端子は前述のプラスチックハウジング内に固定し、オーディオプラグをオーディオジャックに挿入すると前述の弾性端子と電気的に接続するようにし、
二つの信号端子はプラスチックハウジング内に固定し、それぞれプラスチックハウジングの挿入空間に向かって延伸し、且つ該二つの信号端子はオーディオプラグがプラスチックハウジングの挿入空間に挿入されるとそれぞれオーディオプラグと電気的接続を形成し、
前述の弾性端子、接触端子及び二つの信号端子はそれぞれプリント基板の回路と電気的に接続するようにして成ることを特徴とするスイッチ機能を具えたオーディオジャック。
【請求項８】
弾性端子の絶縁部材は弾性端子の弾接部にインサート成形して成ることを特徴とする請求項７記載のスイッチ機能を具えたオーディオジャック。
【考案の詳細な説明】
【技術分野】
【０００１】
本考案はスイッチ機能を具えたオーディオジャックに関し、特にスピーカ機能を具える電子装置に用いられるスイッチ機能を具えたオーディオジャックに関する。
【背景技術】
【０００２】
電子テクノロジーの急速な発展に伴い、音声再生機能を具える電子装置、例えばコンピュータ、ＤＶＤプレーヤー、ノートパソコンなど、そしてそれらに組み合わせるスピーカは、多元化した機能とより完璧な音響チャンネルを求めて、従来の５．１チャンネルのほか、現在は７．１チャンネルの再生機能をも備えるようになり、よりよい聴覚効果を楽しめるようになった。
【０００３】
図１、図２、図３に示すように、公知の電子装置のオーディオジャックはプラスチックハウジング１、二つの信号端子６、７及び二つのスイッチA、Bから成り、プラスチックハウジング１内にオーディオプラグ９の挿入を受け入れる挿入空間１１を具え、前述の二つの信号端子は少なくとも一部が彎曲して、前述のプラスチックハウジング１の挿入空間１１内に伸びてオーディオプラグ９と電気的に接続する。オーディオプラグ９がプラスチックハウジング１の挿入空間１１に挿入される前は、前述の二つのスイッチA、Bはそれぞれ第一信号端子６と第二信号端子７とに電気的に接続している。
オーディオプラグ９が公知のオーディオジャックに挿入されると、第一信号端子６と第二信号端子７はそれぞれオーディオプラグ９により押し開けられてスイッチA、Bから離れ、第一信号端子６とスイッチA、第二信号端子７とスイッチBの間の信号変化により回路基板の回路がオーディオプラグ９の挿入を検知する。基板の回路がオーディオプラグ９の挿入を検知すると、基板の回路は二つの信号端子６、７が伝送する信号を受け入れ処理を開始する。
【０００４】
この種のオーディオプラグには少なくとも以下の欠点がある。
検知回路は第一信号端子６とスイッチAとの分離と、第二信号端子７とスイッチBとの同時分離を同時に検知して初めて、オーディオプラグ９の挿入を検知でき、故障の可能性が高く、検知回路は複雑である。よってこの種の公知のオーディオジャックのスイッチは改良の必要がある。
【考案の開示】
【考案が解決しようとする課題】
【０００５】
本考案はスイッチ機能を具えたオーディオジャックを提供することを課題とする。該オーディオジャックは簡単な検知スイッチを具えることにより、オーディオジャック検知スイッチの故障発生率を低下させる。
またオーディオジャックのスイッチを簡略化することにより、回路基板のオーディオプラグ挿入を検知する検知回路を簡略化する。
【課題を解決するための手段】
【０００６】
本考案は主に、プラスチックハウジング、弾性端子、接触端子及び二つの信号端子によりスイッチ機能を具えたオーディオジャックを構成する。オーディオジャックのプラスチックハウジング内に前述の弾性端子、接触端子及び二つの信号端子をそれぞれ収容し固定する収容溝と、オーディオプラグの挿入を受け入れる挿入空間を具える。また、前述の二つの信号端子は共にプラスチックハウジングの挿入空間内に向かって延伸し、オーディオプラグを挿入すると二つの信号端子とオーディオプラグが電気的接続を形成するようにする。本考案のプラスチックハウジングは挿入空間内に向かって弾性変形可能な絶縁アームを延伸し、弾性端子はプラスチックハウジングの絶縁アームに圧接してプラスチックハウジング挿入空間方向へ押し、弾性端子はまた、接触端子に近接しており、オーディオプラグがプラスチックハウジングの挿入空間に挿入されると、オーディオプラグが絶縁アームを押し動かして弾性端子を接触端子に接触させることにより、弾性端子と接触端子の接続でスイッチ切り替えの目的を達成する。
【０００７】
本考案は同等の効果を得られる実施例がたくさんあるが、その中で、弾性端子を弾性ユニットと第一接続端子の二段に分けることができ、この弾性ユニットでプラスチックハウジングの絶縁アームを繰り返し押し続けて絶縁アームを挿入空間内に進入させ、第一接続端子は弾接部と回路基板を電気的に接続させることができ、弾性端子の端子プレス成形製造工程が容易になる。同様に、接触端子も相互に電気的接続する接触ユニットと第二接続端子の二段に分けることができる。
【０００８】
オーディオプラグをプラスチックハウジング挿入空間に挿入すると、絶縁アームによってより容易に弾性端子と接触端子を相互に接触させることができる。絶縁アーム上に突起部を設けることができ、この突起部により絶縁アームや弾性端子の弾接部の弾性変形量が増大する。
【０００９】
オーディオジャックの寿命を延長するために、プラスチックハウジングの絶縁アームの疲労による破損を避けるべく、インサート成形やその他機械加工方法により絶縁アームを弾性端子の弾性変形する弾接部上に固定することもできる。絶縁アームが弾性端子と共にプラスチックハウジング内に組み込まれるようにし、弾性端子とオーディオプラグが直接接触してオーディオプラグから回路基板へ伝送する信号にノイズが発生するのを防止する。
【考案の効果】
【００１０】
本考案のオーディオジャックは簡単な検知スイッチを具え、オーディオジャックの検知スイッチの故障発生率を低下させ、回路基板上のオーディオプラグ挿入を検知する検知回路を簡略化することができる。
【考案を実施するための最良の形態】
【００１１】
本考案を実施するための最良の形態を図に沿って説明する。
図４、５に示すように、本実施例では三個垂直に排列した同じオーディオジャックを例に説明する。本考案の技術内容は単一ジャック或いは多数集積したジャックにのみ適用するものではない。
本考案のオーディオジャックの好適な実施例は主にプラスチックハウジング１、弾性端子２、接触端子３及び二つの信号端子６、７から成る。本実施例のプラスチックハウジング１内に弾性端子１を収容する第一収容溝１２、接触端子３を収容する第二収容溝１３及びオーディオプラグ９（図中未表示、図１、図２参照）の挿入を受け入れる挿入空間１１を具える。二つの信号端子６、７は共にプラスチックハウジング１挿入空間１１内に向かって延伸し、このためオーディオプラグ９が挿入されると、二つの信号端子６、７はオーディオプラグ９と電気的接続を形成することができる。
【００１２】
図６に示すように、本実施例の弾性端子２は弾接部２１を具え、接触端子３は弾性端子２の弾接部２１に対応して弾接部３１を設け、二つの弾接部２１、３１は常態で分離しているが隣接している。弾性端子２の弾接部２１はプラスチックハウジング１の絶縁アーム１５に圧接して、絶縁アーム１５をプラスチックハウジング１の挿入空間１１内に進入させている。オーディオプラグ９がオーディオジャックの挿入空間１１内に挿入されると、オーディオプラグ９は挿入過程でプラスチックハウジング１の絶縁アーム１５の抗力を受けてこれに対して押圧力を生じ、プラスチックハウジング１の絶縁アーム１５は力を受けて弾性変形し、弾性端子２の弾接部２１を押し込み、弾性端子２の弾接部２１は上向きに弾性変形して接触端子３の弾接部３１と接触し、弾性端子２と接触端子３の電気的接続を発生させて、これにより回路基板上で弾性端子２と接触端子３が伝送する信号が同じであることを検知し、オーディオプラグ９がプラスチックハウジング１１の挿入空間１１内に挿入されたことを確定することができるようにする。
【００１３】
本実施例では接触端子３の弾接部３１の設計目的は弾性端子２と接触端子３が軽易に電気的接続状態に達するようにすることである。ただし、この目的達成のためには必ずしも接触端子３上に弾接部３１を設ける必要はなく、弾性端子２の弾接部２１の外形屈曲を利用して、接触端子３には弾接部３１を設けなくともよい。
【００１４】
本実施例のプラスチックハウジング１の挿入空間１１内にアース端子８を設けており、アース端子８の目的は主にオーディオプラグ９上の静電気やノイズを回路基板上のアース回路に接続することにあるため、本実施例では垂直に排列した三個のオーディオジャックは少なくとも回路上でこのアース端子８を共用することができる。
【００１５】
本実施例のプラスチックハウジング１の絶縁アーム１５末端に突起部１５１を延伸して具え、絶縁アーム１５の突起部１５１はプラスチックハウジング１挿入空間１１内に深く進入しているため、オーディオプラグ９が挿入されるとオーディオプラグ９と絶縁アーム１５が干渉して押し合う状況が増大され、絶縁アーム１５がオーディオプラグ９に押し動かされる移動量を大きくすることができる。
【００１６】
前述の図示と同時に図７、図８に示すように、弾性端子２と接触端子３をジャック業界でよく用いる機械プレス方式で生産する場合、金属薄板に図４及び図５に示す弾性端子２と接触端子３の外形をプレスすると大量の廃材が発生する上、端子全体の機械的強度も弱くなる。材料を変更したり金属薄板の厚さを増加して解決すれば製造コストは削減できない。以下、本考案の別の実施例では、この分野での問題点を解決することができる。
【００１７】
本考案の別の実施例では、主に弾性端子２と接触端子３をそれぞれ二段にプレスする。即ち、弾性端子２を、弾接部２１を具える弾性ユニット２−１と第一接続端子４との組み合わせとし、弾性ユニット２−１と第一接続端子４は電気的に接続して、回路基板と電気的に接続する弾性端子２を形成する。弾性ユニット２−１と第一接続端子４の外形は、前記の実施例より単純なため、弾性端子２を製造する際に再利用できない廃材が少なくなる。同様に、接触端子３も接触ユニット３−１と第二接続端子５を電気的に接続して、回路基板と電気的に接続する接触端子３を形成することができる。
【００１８】
本実施例を実施するとき、プラスチックハウジング１の第一収容溝１２の一端に開口部１２１を設けて第一接続端子４を挿入固定することができ、これにより弾性ユニット２−１と第一接続端子４の電気的接続を確保する。同様に、第二収容溝１３の適当な箇所にも開口部１３１を設けて第二接続端子５を挿入固定して、接触ユニット３−１との電気的接続を確保することもできる。
本実施例では弾性端子２と接触端子３をそれぞれ二段にしてプレスする手段により、廃材減量と全体の機械的強度増強を図っている。同様に二つの信号端子６、７も類似の構造に設計することもできる。
【００１９】
図８に示すように、第一信号端子６は第一信号ユニット６−１とブリッジ端子Cから成り、第二信号端子７は第二信号ユニット７−１とブリッジ端子Ｄから成る。二つの信号端子６、７は主にオーディオプラグ９が挿入された後、オーディオプラグ９の信号をプリント基板に伝送するのに用いられる。よって、第一信号ユニット６−１とブリッジ端子Ｃを弾性端子２と第一接続端子４の常態電気的接続状態に類似の設計とすることもできる。
【００２０】
前述の二実施例のように、本考案のプラスチックハウジング１絶縁アーム１５の主な作用は、弾性端子２とオーディオプラグ９の直接接触を防止し、弾性端子２がオーディオプラグ９が回路基板に伝送する信号を干渉するのを避けることである。だから絶縁アーム１５はプラスチックハウジング１から延伸しなくとも良い。弾性端子２とオーディオプラグ９に介在する絶縁物質であれば何でも本考案の絶縁アーム１５とすることができる。例えば、弾性端子２の一部にインサート成形で絶縁物質を複合形成し、その絶縁物質で弾性端子２とオーディオプラグ９との接触を防止する方法もある。その他の機械工程方法でこの絶縁アーム１５を製造してもよい。
【図面の簡単な説明】
【００２１】
【図１】公知のオーディオジャックの断面動作様態の略図一である。
【図２】公知のオーディオジャックの断面動作様態の略図二である。
【図３】公知のスイッチ回路略図である。
【図４】本考案の実施例の絶縁ハウジングと各端子の組立略図である。
【図５】本考案の図４の各端子の拡大図である。
【図６】本考案の図４の端子組立後の断面図である。
【図７】本考案のスイッチ回路略図である。
【図８】本考案の別の実施例の端子の立体外観図である。
【符号の説明】
【００２２】
Ａ スイッチ
Ｂ スイッチ
１ プラスチックハウジング
１１ 挿入空間
１２ 第一収容溝
１２１ 開口部
１３ 第二収容溝
１３１ 開口部
１５ 絶縁アーム
１５１ 突起部
２ 弾性端子
２−１ 弾性ユニット
２１ 弾接部
３ 接触端子
３−１ 接触ユニット
３１ 弾接部
４ 第一接続端子
５ 第二接続端子
６ 第一信号端子
７ 第二信号端子
８ アース端子
９ オーディオプラグ
Ｃ ブリッジ端子
Ｄ ブリッジ端子
【図１】
0003103712.tif 000003
【図２】
0003103712.tif 000004
【図３】
0003103712.tif 000005
【図４】
0003103712.tif 000006
【図５】
0003103712.tif 000007
【図６】
0003103712.tif 000008
【図７】
0003103712.tif 000009
【図８】
0003103712.tif 000010